(57)【特許請求の範囲】
【請求項１】
釣糸を巻き取るためのスプールと、当該スプールに０．１グラムないし３．０グラムの範囲の張力状態で巻き取られた所定長さの釣糸とを有し、当該釣糸は、スプールの端部から順に整列して平行に巻き取られていることを特徴とする釣糸ユニット。
【請求項２】
請求項１記載の釣糸ユニットを製造するための釣糸巻取装置であって、
長尺の釣糸が繰り出し自在な状態で予めストックされた原糸部と、
原糸部から送られる釣糸を所定長さごとにスプールに巻き取るための巻取部と、
原糸部から巻取部へ釣糸を強制的に送給するための送給部と、
上記送給部から送られる釣糸が上記巻取部によって巻き取られる際に、当該釣糸を上記スプールの幅方向にスライドさせるスライド機構と、
上記送給部から送られる釣糸の速度と上記巻取部により巻き取られる釣糸の速度を一致させるように制御する制御装置とが備えられていることを特徴とする釣糸巻取装置。
【発明の詳細な説明】
【０００１】
【発明の属する技術の分野】
この発明は、スプールに釣糸を巻き取った状態で販売される釣糸ユニットおよびこれを製造するための装置に関するものである。
【０００２】
【従来の技術および発明が解決しようとする課題】
従来から釣糸は、１５０ｍ程度の所定長さに裁断され、これを樹脂製等のスプールに巻き取ったかたちで販売されている。このようにスプールに釣糸を巻き取ったものを釣糸ユニットと称する。
【０００３】
釣糸ユニットは、一般に釣糸巻取装置によってスプールに巻き取られる。釣糸巻取装置は、予め長尺の釣糸をストックしておき、これに張力を与えた状態で順次繰り出し、スプールを回転させることによって釣糸の巻き取りを行うものである。
【０００４】
このようにして製造された釣糸ユニットでは、釣糸に常時張力がかかった状態となる。つまり、釣糸は、ユーザに購入され使用されるまで常に引張力が加わっている。したがって、釣糸に引張力が加わっている期間が長期間となると、釣糸の弾性が低下してその強度が低下するほか、釣糸ユニットが保存されている環境の温度変化等によってスプールが破壊する場合もある。
【０００５】
かかる問題を解決するためには、釣糸に張力がかからない状態でスプールに巻き取るようにすればよいが、単に張力を与えないでスプールに巻き取ると、釣糸を実際に使用する際にスプールから釣糸を引き出すと、引き出される釣糸がスプールに巻き取られている糸に食い込んで、釣糸のもつれ等が生じる。これでは、ユーザーが使用する際に非常に不便であり、釣糸ユニットとして実用に耐えることはできない。
【０００６】
そこで、本発明の目的は、釣糸に０．１グラムないし３．０グラムの範囲の張力状態で巻き取ると共に釣糸のもつれ等を防止した使用に便利な釣糸ユニットを提供すること、また、かかる釣糸ユニットを製造するための釣糸巻取装置を提供することである。
【０００７】
【課題を解決するための手段】
(1) 本願出願人は、既に釣糸をスプールに対して整列させた状態で平行に巻き取ることができる装置について出願し、特許を受けている（特許第２５３９７５６号、特許第２９６６３７４号、特許第３０７６８０５号等）。そして、本願出願人は、上記目的を達成するために、釣糸を整列平行巻きすることによって、釣糸を０．１グラムないし３．０グラムの範囲の張力状態で巻き取ってもスプールから引き出される釣糸がスプールに巻き取られている釣糸に食い込むことを防止できることを知得した。
【０００８】
(2) そこで、本願に係る釣糸ユニットは、釣糸を巻き取るためのスプールと、当該スプールに０．１グラムないし３．０グラムの範囲の張力状態で巻き取られた所定長さの釣糸とを有し、当該釣糸は、スプールの端部から順に整列して平行に巻き取られていることを特徴とするものである。
【０００９】
この構成によれば、釣糸は０．１グラムないし３．０グラムの範囲の張力状態でスプールに巻き取られているから、釣糸を長期間にわたってスプールに巻き取った状態にしても、釣糸の弾性の低下や劣化による強度低下等の不都合は起こらない。しかも、釣糸はスプールに対して整列平行巻きされているから、スプールに巻かれた下段の釣糸の上に隙間なく上段の釣糸が整列された状態で巻き取られる。したがって、釣糸をスプールから引き出す際に釣糸に張力が加わっても、引き出される釣糸がスプールに巻かれた下段の釣糸に食い込むことがない。
【００１０】
(3)  また、本願に係る釣糸巻取装置は、上記釣糸ユニットを製造するためのものであって、長尺の釣糸が繰り出し自在な状態で予めストックされた原糸部と、原糸部から送られる釣糸を所定長さごとにスプールに巻き取るための巻取部と、原糸部から巻取部へ釣糸を強制的に送給するための送給部と、上記送給部から送られる釣糸が上記巻取部によって巻き取られる際に、当該釣糸を上記スプールの幅方向にスライドさせるスライド機構と、上記送給部から送られる釣糸の速度と上記巻取部により巻き取られる釣糸の速度を一致させるように制御する制御装置とが備えられていることを特徴とするものである。
【００１１】
この構成によれば、釣糸が送給部によって原糸部から強制的に引き出されて巻取部へと送られる。巻取部は、送られた釣糸をスプールに巻き取る。このとき、スライド機構により、釣糸がスプールの幅方向にスライドされ、これにより、釣糸はスプールに対して整列した状態で平行に巻き取られる。しかも、制御装置によって送給部から強制的に送られる釣糸の速度と巻取部により巻き取られる釣糸の速度とが一致されるので、スプールに巻き取られる釣糸に０．１グラムないし３．０グラムの範囲の張力が生じるだけである。
【００１２】
【発明の実施の形態】
以下、本発明の実施の形態について説明する。
【００１３】
図１は、本発明の一実施形態に係る釣糸巻取装置の構成を模式的に示した図である。
【００１４】
同図を参照して、釣糸巻取装置１０は、スプール１４に釣糸１１を巻き取って後述する釣糸ユニット１８（図３参照）を製造するためのものである。この釣糸巻取装置１０は、長尺の釣糸（原糸）１１が予めストックされた原糸部１２と、原糸部１２から釣糸１１を強制的に引き出す送給部１３と、送給部１３により引き出された釣糸１１をスプール１４に巻き取るための巻取部１５と、巻取部１５によって釣糸１１を巻き取る際に釣糸１１をスプール１４の幅方向にスライドさせるスライド機構１６と、送給部１３によって強制的に送られる釣糸１１の速度と巻取部１５により巻き取られる釣糸１１の速度を一致させる等の制御を行う制御装置１７とを備えている。
【００１５】
原糸部１２は、大型スプール１９を備えており、この大型スプール１９に長尺（たとえば４０００ｍ程度）の釣糸１１（「原糸」と称する。）が予め巻き取られている。なお、この釣糸１１は、繊維メーカ等から購入することができる。また、大型スプール１９は回転軸２０を備えており、この回転軸２０のまわりに回転することによって釣糸１１が順次引き出されるようになっている。引き出された釣糸１１は、案内ローラ２１を介して送給部１３側へと導かれる。
【００１６】
送給部１３は、アキュームレータ２２と、張力調整装置２３と、給糸装置２４とを備えている。
【００１７】
アキュームレータ２２は、原糸部１２から繰り出された釣糸１１を一旦貯めた後に順次連続的に送り出すものである。このアキュームレータ２２は公知のものを採用している。アキュームレータ２２から送り出された釣糸１１は、案内ローラ２５に案内されて張力調整装置２３へと導かれる。
【００１８】
張力調整装置２３は、支持ローラ２６，２７と、テンションローラ機構２８とを備えている。テンションローラ機構２８は、テンションローラ２９と、これを図中下向きに付勢する付勢部材３０とを有している。釣糸１１は、支持ローラ２６，テンションローラ２９および支持ローラ２７に順に掛け回され、下向きに付勢されたテンションローラ２９によって所定の張力が生じるように設定されている。釣糸１１は、所定の張力のもとで案内ローラ３１を介して給糸装置２４に導かれる。
【００１９】
給糸装置２４は、釣糸１１を強制的にスライド機構１６側へ送るものであり、その機構は種々のものが考えられる。一例として本実施形態としては、一対の送りローラを用いて釣糸１１を強制的に送るようにしている。
【００２０】
具体的には、給糸装置２４は、駆動ローラ３２と従動ローラ３３とを備えており、これらによって釣糸１１を挟み込んで送るようになっている。駆動ローラ３２はモータ３４により回転される。従動ローラ３３は駆動ローラ３２に対向して配置され、釣糸１１を挟み込む。そして、駆動ローラ３２が回転されると、釣糸１１がスライド機構１６側へ送られるようになっている。また、この駆動ローラ３２は制御装置１７によってその回転が制御されるようになっている。制御の内容については後述する。
【００２１】
本実施形態では、送られる釣糸１１の長さを計測する測長装置３５が給糸装置２４に備えられている。この測長装置３５は、スライド機構１６の手前に配置されている。測長装置３５は、プーリ３６と光センサ（図示せず）とにより構成することができる。一例として次のようにして釣糸１１の長さを計測することができる。
【００２２】
プーリ３６の鍔部の周縁部に等間隔で複数の小孔を開けておく。そして、この鍔部を挟んで発光素子と受光素子とを配置する。釣糸１１がプーリ３６を通過するとプーリ３６が回転するが、このとき、上記小孔によって、発光素子から発せられる光がパルス状に受光素子に達する。つまり、受光素子は、発光素子から発せられる光をパルス信号として受信する。
【００２３】
そして、このパルスの数によってプーリ３６を通過した釣糸１１の長さを測定することができ、所定回数パルスを受信した場合に釣糸１１が所定長さだけ送られたことを示す測長信号３７が発せられるようになっている。この測長信号３７は、制御装置１７によって受信される。これにより、制御装置１７は、一つのスプール１４に巻き取る釣糸１１の長さ（定尺）を判断するようになっている。
【００２４】
なお、本実施形態ではスライド機構１６の上流側に測長装置３５を設けたが、この測長装置３５は上記巻取部１４に設けることもできる。その場合、後述する巻取部１５の駆動軸３８に上記小孔と同様の小孔が設けられた円盤を配置し、上記と同様の発光素子および受光素子を用いて測長装置３５を構成することができる。そして、本実施形態では、この測長装置３５と同様の構成の巻取速度監視装置（図示せず）が巻取部１５に設けられている。これにより、スプール１４の回転速度を検出することができる。その速度検出信号４４が制御装置１７により受信されるようになっており、その結果、巻取部１５による釣糸１１の巻取速度を把握することができるようになっている。
【００２５】
次に、スライド機構１６は、釣糸巻取装置１０のフレーム３９に固定されたスライドベース４０と、スライドベース４０にボールねじ機構を介してスライド自在に設けられたスライダ４１とを備えている。このスライド機構１６は、スライダ４０を紙面に垂直な方向にスライドさせることにより、釣糸１１をスプール１４の幅方向（紙面に垂直な方向）に移動させながら良好にスプール１４に巻き取るためのものである。
【００２６】
上記ボールねじ機構は、ボールねじが形成されたボールねじ軸４２と、このボールねじ軸４２を回転させるためのモータ（図示せず）とを有しており、このボールねじ機構によってスライダ４１がスライドできるようになっている。また、スライダ４１には給糸ローラ４３が備えられており、測長装置３５を通過した釣糸１１は、この給糸ローラ４３を経て巻取部１４のスプール１４に導かれるようになっている。
【００２７】
巻取部１４は、駆動軸３８と、駆動軸３８に取り付けられたスプール１４とを備えている。駆動軸３８は、駆動モータ４５（図２参照）に連結されており、図中右回り（釣糸１１を巻き取る方向）に回転されるようになっている。また、スプール１４は、紙面に垂直な方向に複数並列されており、一のスプール１４に釣糸１１が巻き取られた後は、続いて隣のスプール１４に巻き取られるようになっている。一のスプール１４に巻き取る釣糸１１の長さ（定尺）は、制御装置１７によって予め設定することができる。
【００２８】
制御装置２７はいわゆるマイクロコンピュータを備えており、巻き取る釣糸１１の定尺の決定、上記給糸装置２４による釣糸１１の送り速度の制御、巻取部１５による釣糸１１の巻取速度の制御、スプール１４への釣糸１１の巻取長さの制御等を行うようになっている。制御装置２７には図示していないが操作部が設けられており、この操作部を操作することによって上記定尺の決定等の他、スプールに巻き取る釣糸１２の号数等の設定も行うようになっている。
【００２９】
次に、この釣糸巻取装置１０を用いて釣糸ユニット１８を製造する手順について説明する。
【００３０】
まず、制御装置１７の操作部を操作して、釣糸１１の号数（線径）および定尺（本実施形態では１５０ｍ）を設定する。
【００３１】
巻き取りが開始されると、制御装置１７によって巻取部１５の駆動モータの回転と給糸装置２４のモータの回転とが制御され、釣糸１１が同一の速度で送られ、且つ巻き取られる。
【００３２】
図２は、釣糸１１が巻き取られる要領を示した図である。
【００３３】
同図を参照して、給糸ローラ４３を出た釣糸１１は、スプール１４に送られるが、このときスライド機構１６によってスプール１４が左右に（図中矢印の方向）移動される。この移動速度は、釣糸１１がスプール１４に一回巻き取られるごとに釣糸１１の線径分だけスライドする速度である。なお、この給糸ローラ４３のスライド（すなわちスライド機構１６のスライド）は、上記巻取部１５から発せられる速度検出信号４４に基づいて制御装置１７により制御されている。
【００３４】
このようにスライド機構１６により釣糸１１をスプール１４に巻き取ることにより、同図に示すように、釣糸１１をスプール１４に対して整列させた状態で平行に巻き取ることができる。また、測長装置３５により釣糸１１の所定長さが検出されて測長信号３７が出力された場合には、釣糸１１は、隣のスプール１４に引き続いて巻き取られていく。
【００３５】
ここで、釣糸１１の巻取速度は、駆動モータ４５が一定速度で回転すれば釣糸１１の巻き取りがすすむにつれて高速になる。この速度は、測長装置３５または巻取部１５の上記光センサにより検出することができ、制御装置１７がこれを把握する。そして、制御装置１７は、モータ制御信号４６（図１参照）を出力し、検出された巻取速度と同一の送り速度となるように、給糸装置２４のモータの回転を制御する。
【００３６】
これにより、釣糸１１は、給糸装置２４により送られる速度と巻取部１５により巻き取られる速度とが一致し、０．１グラムないし３．０グラムの範囲の張力状態でスプール１４に巻き取られる。このようにして図３に示すような０．１グラムないし３．０グラムの範囲の張力状態で釣糸１１が巻き取られた釣糸ユニット１８が製造される。
【００３７】
したがって、本実施形態によれば、釣糸１１は０．１グラムないし３．０グラムの範囲の張力状態でスプール１４に巻き取られているから、釣糸１１を長期間にわたってスプール１４に巻き取った状態にしても、釣糸１１の弾性の低下や劣化による強度低下等の不都合は起こらない。しかも、釣糸１１はスプール１４に対して整列平行巻きされているから、スプール１４に巻かれた下段の釣糸４７の上に隙間なく上段の釣糸４８が整列された状態で巻き取られる（図２参照）。よって、釣糸１１をスプール１４から引き出す際に釣糸１１に張力が加わっても、引き出される釣糸１１がスプール１４に巻かれた下段の釣糸４７に食い込むことがない。加えて、かかる０．１グラムないし３．０グラムの範囲の張力状態で釣糸１１を巻くことができるから、スプール１４に加わる力が非常に小さくなる。その結果、スプール１４をたとえば紙等で製造することができ、釣糸ユニットの製造コストをさらに低減することができる。
【００３８】
なお、本実施形態では、給糸装置２４により送られる速度と巻取部１５により巻き取られる速度とを一致させるように制御しているが、両者の速度が一致しなくなったことを検出するテンショナーを設けることができる。このテンショナーは、図１において給糸ローラ４３とスプール１４との間に配設することができ、給糸装置２４により送られる速度と巻取部１５により巻き取られる速度との間に差異が生じたときにこれを検出するようにすればよい。そして、両者の速度が異なる場合には、給糸装置２４を制御して釣糸１１の送り速度を調節することができる。
【００３９】
【発明の効果】
以上のように本願発明によれば、スプールに対して０．１グラムないし３．０グラムの範囲の張力状態で釣糸を整列平行巻きした釣糸ユニットを提供することができるから、釣糸の強度低下やスプールの損傷等の不都合が起こらず、しかも、釣糸をスプールから引き出す際に釣糸がスプールに巻かれた釣糸に食い込むことがなく、使い勝手の良いものとなる。
【図面の簡単な説明】
【図１】本発明の一実施形態に係る釣糸巻取装置の構成示した模式図である。
【図２】釣糸が巻き取られる要領を示した図である。
【図３】釣糸ユニットの斜視図である。
【符号の説明】
１０  釣糸巻取装置
１１  釣糸
１２  原糸部
１３  送給部
１４  スプール
１５  巻取部
１６  スライド機構
１７  制御装置
１８  釣糸ユニット
【図１】
0003641198.tif 000002
【図２】
0003641198.tif 000003
【図３】
0003641198.tif 000004